(57)【特許請求の範囲】
【請求項１】
遊技機に装着される表示ユニットであり、フロントケースに表示パネルが収容されると共に、前記フロントケースに膨出状に設けられるリアケースに画像表示用の表示制御基盤が収容される表示ユニットであって、
前記リアケースは、片手で把持できる程度の間隔を隔てて対向状に配置される二つの把持面を備え、
前記把持面の少なくとも一方は、前記リアケースに設けられる凹陥部の一部となされ、
前記把持面に挟まれる領域には、当該表示ユニットの重心を通り前記表示パネルに垂直な直線が通過し、
前記把持面には、前記表示パネルの表示面に沿って延び、前記リアケースを把持した際に前記把持面に当接する手指の滑り止めとなる放熱孔が設けられる
ことを特徴とする表示ユニット。
【発明の詳細な説明】
【技術分野】
【０００１】
本発明はパチンコ機やスロットマシン等などの遊技機に取り付けられる表示ユニットに関し、特に、大判の表示パネルを備える表示ユニットに関する。
【背景技術】
【０００２】
現在のパチンコ機は、興趣性向上のため、リーチアクション画像など種々の画像が表示される液晶の表示パネルが取り付けられており、表示パネルに表示する画像の制御は、表示制御基盤と称される基盤に備えられるコンピュータにより行われている。
【０００３】
従来、前記表示パネルをケースに収容すると共に、前記ケースに一体に備えられる他のケースに表示制御基盤を収容して表示ユニットとして準備しておき、当該表示ユニットをパチンコ機に取り付けることが行われている（例えば、特許文献１参照）。このユニット化は、画像表示に係る部材をパチンコ機に取り付ける際の取り付け性の向上や、取り付けスペースの減少などに寄与するものである。
【０００４】
この表示ユニットのパチンコ機への取り付けは、手作業で行われる場合がほとんどである。具体的には、表示パネルが収容されているケースより、表示制御基盤が収容されているケースが小さいため、当該表示制御基盤が収容されているケース背部の対向する二つの側面を片手で把持して表示ユニット全体を持ち、他の片手で、ケースの表面に貼着されている保護用のフィルムを剥がしたあと、同じ手で静電気除去や埃除去などのエアーブローを行い、表示ユニットを保持している片手のままパチンコ機に取り付けて位置あわせをし、他の片手で表示ユニットをパチンコ機に固定する作業を行うことが行われている。
【特許文献１】特開２００５−３４２３３０号公報
【発明の開示】
【発明が解決しようとする課題】
【０００５】
ところが、昨今のパチンコ機に備えられる表示パネルは大型化してきており、これを制御するための表示制御基盤も大型化する傾向にあるため、表示ユニット全体が大型化し、重量も増加している。
【０００６】
ここで、表示パネルの大型化に伴い表示制御基盤が大型化する理由は、大型の画面に精細な画像を表示させるためには、取り扱う画像の情報量は増加することになる。このため画像情報を記憶する表示制御基盤上のＲＯＭの数が増加し、これらの画像情報を高速に処理する必要があるため表示制御基盤上のＣＰＵの数も増えるからである。
【０００７】
従って、大型化した表示ユニットをパチンコ機に取り付ける際に表示ユニットを保持しようとしても片手で保持することが困難になってきた。
【０００８】
本発明は上記課題に鑑みなされたものであり、大型化されても片手で把持することのできる表示ユニットの提供を目的としている。
【課題を解決するための手段】
【０００９】
上記目的を達成するために、本発明に係る表示ユニットは、遊技機に装着される表示ユニットであり、フロントケースに表示パネルが収容されると共に、前記フロントケースに膨出状に設けられるリアケースに画像表示用の表示制御基盤が収容される表示ユニットであって、前記リアケースは、片手で把持できる程度の間隔を隔てて対向状に配置される二つの把持面を備え、前記把持面の少なくとも一方は、前記リアケースに設けられる凹陥部の一部となされ、前記把持面に挟まれる領域には、当該表示ユニットの重心を通り前記表示パネルに垂直な直線が通過し、前記把持面には、前記表示パネルの表示面に沿って延び、前記リアケースを把持した際に前記把持面に当接する手指の滑り止めとなる放熱孔が設けられることを特徴とする。
【００１０】
これにより、リアケースに所定の間隔で設けられる把持面を片手で把持することにより、表示ユニット全体の支持が可能となる。従って、表示パネルに備えられる表示制御基盤の大きさに関わりなく、小さな手であっても把持面を片手で把持し、容易に表示ユニットを支持することが可能となる。
【００１１】
さらに、把持面の間に、表示ユニットの重心を通る線が通るため、把持面を片手で把持したときの重量バランスがよく、表示ユニットを遊技機へ取り付ける際など表示ユニットの姿勢を変更する場合であっても、把持面を把持する片手で容易に表示ユニットの姿勢を変更することが可能となる。また、把持面に設けられる放熱孔により、放熱孔自体の放熱効果と、放熱孔のエッジにより、リアケースを把持した際の滑り止め効果を併有することができる。
【発明を実施するための最良の形態】
【００１２】
以下、本発明に係る実施の形態を図面に沿って説明する。
【００１３】
（実施の形態１）
図１は、本実施形態に係るパチンコ機１００の正面方向から示す斜視図である。
【００１４】
同図に示されるように、パチンコ機１００は、外枠１１１と、前枠１１２と、窓枠１１３とを備え、窓枠１１３の背部には表示パネル１２１が取り付けられた遊技盤１１４とを備えている。
【００１５】
外枠１１１は、パチンコ機１００の各構成要素を保持するための基礎となる部材であり、矩形状の枠体となっている。また、外枠１１１は、パチンコホールなど設置されている台島に直接固定される部材であり、台島と外枠１１１のみとを固着することによりパチンコ機１００が台島に設置されることとなる。
【００１６】
前枠１１２は、遊技盤１１４や、各種制御基盤などが直接的に、また取り付け用部材を介して間接的に取り付けられる部材である。また、前枠１１２は、外枠１１１の前端面左側とヒンジ１０１を介して取り付けられており、外枠１１１に対して前枠１１２が回動可能となされている。すなわち、台島に設置されたパチンコ機１００の前枠１１２を回動すると、パチンコ機１００の背部を露出させることが可能となっている。
【００１７】
また、前枠１１２の前面下部には遊技者が操作できる遊技球１０５を貯留するための上皿１１６や下皿１１７が設けられ、下皿１１７の右方には、遊技者が回転させることにより遊技球１０５の射出の可否を選択肢、また、遊技球１０５の射出速度を変更するためのハンドル１１８が設けられている。
【００１８】
窓枠１１３は、前枠１１２の前面にヒンジ１０２を介して装着される部材である。この窓枠１１３は円形孔状の窓部１０３を有し、当該窓部１０３の内周面には透明なガラス板１０４が設けられている。前記窓部１０３のガラス板１０４は、遊技中の遊技球１０５が転落する遊技盤１１４の前面に配置されており、前記転落中の遊技球１０５を遊技者が視認できると共に、遊技球１０５が遊技盤１１４から飛び出ることを防止している。なお、本実施形態ではガラス板１０４と記載しているが、本実施形態のガラス板１０４とは透明で遊技球１０５転落の際の衝撃に抗する強度を有するものとの意味である、従い、この条件を満たすなら樹脂製でもよく、樹脂板とガラス板とを併有していてもかまわない。
【００１９】
遊技盤１１４は、遊技球１０５が転落する遊技領域を形成するための木製や樹脂製の部材であり、遊技球１０５を複雑に転落させるための釘や、大当たりを判定するためのトリガーとなる始動口１１５や、大当たり遊技中に遊技球１０５を受け取るために開放される大入賞口１１９などの他、装飾図柄が表示される表示パネル１２１（表示ユニット１２０）が取り付けられる部材である。
【００２０】
図２は、パチンコ機１００の背面を示す斜視図である。
同図に示すように、パチンコ機１００の背部上側には、球タンク１３１と、タンクレール１３２とが取り付けられている。
【００２１】
また、タンクレール１３２の下方には、表示制御基盤１２２が収容された表示ユニット１２０のリアケース１２４部分が配置されている。
【００２２】
表示ユニット１２０は、図３に示すように、遊技盤１１４に貫通状に設けられた取り付け孔に表示ユニット１２０のフロントケース１２３部分が挿入された状態で遊技盤１１４に固定されており、表示ユニット１２０のリアケース１２４部分は背部に突出した状態になっている。
【００２３】
また、表示ユニット１２０の固定方法としては、図４に示されるように、表示ケース１２５の上下に突出状態で複数箇所設けられるねじ孔１５３にねじ（図示せず）を挿通し、当該ねじを遊技盤１１４に螺着することにより、表示ユニット１２０がねじ止めで固定される。
【００２４】
またパチンコ機１００の背部には、表示ユニット１２０の下方に、各種遊技音の出力制御を行なう音サブ基盤１３３、入賞時におけるパチンコ機１００の動作等を含むパチンコ機１００の主要な動作を制御する主基盤１３４、遊技球１０５の払い出し動作を制御する払出基盤１３５、および各基盤等に電源を供給する電源基盤１３６等の各種基盤がそれぞれケースに収容された状態で取り付けられている。
【００２５】
次に、表示ユニット１２０について説明する。
図４は、表示ユニット１２０を背部から示す斜視図である。
【００２６】
同図に示すように、表示ユニット１２０は、表示パネル１２１と、表示制御基盤１２２と表示ケース１２５とを備えている。
【００２７】
表示パネル１２１は、画像（動画）を表示させるための種々の部材が、金属製の筺体に収容され一体化された部材である。前記種々の部材とは、画像が表示され表示パネル１２１の表示面１５０（図３参照）となる液晶パネル、や視認性向上のためのバックライト、前記液晶パネルを直接駆動させるための駆動基盤などである。
【００２８】
なお、本発明は液晶に限定されわけではなく、ＰＤＰやＥＬなど任意の表示装置に適用しうる。
【００２９】
表示制御基盤１２２は、表示パネル１２１に表示させる画像を蓄積し、所定のタイミングで蓄積している画像を表示させ、また、表示を制御する基盤である。表示制御基盤１２２は、画像データなどを蓄積するＲＯＭや、画像を制御するためのＣＰＵなどの各種電子部品を備えている。
【００３０】
ここで、前記表示パネル１２１が大判である場合、当該表示パネル１２１に精細な画像を表示させようとすると、大量の画像データが必要になる。従って、この大量のデータを保持するためのＲＯＭの大きさや数が増加し、表示制御基盤１２２自体の大きさが大きくなる。
【００３１】
また、細部までなめらかな動画を表示させようとすると、前記多量のデータを高速で演算する必要が生じるため、必要なＣＰＵの数が増加することも、表示制御基盤１２２の大型化を招く要因となる。
【００３２】
表示ケース１２５は、表示パネル１２１を収容するための平板な箱形のフロントケース１２３と、前記フロントケース１２３の背部に膨出状に設けられたリアケース１２４とを一体に備えたケースであり、側面視Ｔ字状となっている。また、表示ケース１２５は、中に収容されている表示パネル１２１や表示制御基盤１２２を視認できるような透明な樹脂で構成されている。
【００３３】
このように、表示パネル１２１と表示制御基盤１２２とを表示ケース１２５に収容する理由は、表示に関連するパーツをひとまとまりのユニットとすることで、表示関連パーツをパチンコ機１００に取り付などする際のハンドリング性を向上させることが出来るからである。そのほか、表示制御基盤１２２等にピンセットや電極となる針が接触するのを防止し、不正な改竄から表示制御基盤１２２を保護する目的もある。従って、表示ケース１２５は、ほぼ密閉状態で表示パネル１２１と表示制御基盤１２２とを収容するものとなっている。なお、表示ケース１２５には、内部に収容する表示パネル１２１や表示制御基盤１２２から発生する熱を放出するための放熱孔１２６が設けられている。また、表示ケース１２５全体を透明にするのは、改竄など表示制御基盤１２２や表示パネル１２１の不具合を発見しやすくするためである。
【００３４】
フロントケース１２３は、表示パネル１２１を丁度収容できる大きさの箱形のケースであり、表示パネル１２１の表示面１５０（図中奥の面）に対応する部分は、特に視認性が良好となるクリアな材質の樹脂で構成されている。
【００３５】
リアケース１２４は、表示制御基盤１２２を丁度収容できる大きさの箱形のケースであり、フロントケース１２３よりも若干小型の平板な箱形となっている。また、リアケース１２４は、フロントケース１２４の後面から立設される上面壁１４１と、上面壁と対向するように立設される下面壁１４２と、これら上面壁１４１と下面壁１４２との端部に連接され、フロントケース１２４の後面に立設される２枚の側面壁１４３とを備え、これらと連接され前記フロントケース１２４と平行な後面壁１４４とを備えている。
【００３６】
また、リアケース１２４は、上面壁１４１の中央部から後面壁１４４端部まで角柱状に切りかかれた凹陥部１４５を備えると共に、下面壁１４２の中央部から後面壁１４４端部まで角柱状に切りかかれた凹陥部１４６を備えている。
【００３７】
凹陥部１４５、１４６は、上面壁１４１及び下面壁１４２と平行な把持面１４７、１４８を備え、さらに、把持面１４７、１４８と上面壁１４１または下面壁１４２とに連接される後面壁１４９、及び、側面壁１５１とを備えている。
【００３８】
把持面１４７、１４８は、人間が片手で把持できる程度の間隔を隔てて平行に配置され、表示ケース１２５の前面（図４中の表示ケース１２５の最大面）と垂直に配置されている。
【００３９】
ここで、人間が片手で把持できる程度の間隔とは、表示ユニット１２０把持面１４７、１４８をつまむようにして片手で把持したとき、表示ユニット１２０全体の重量を片手で容易に支え持つことができる間隔である。具体的には４５ｍｍ以上１５０ｍｍ以下が望ましい。把持面１４７、１４８の間隔が４５ｍｍ未満の場合、表示ユニット１２０の重量に抗するための力を指先に入れることが困難になる可能性が高く、１５０ｍｍより広ければ片手での把持が困難になるからである。さらに望ましくは８０ｍｍ以上１２０ｍｍ以下の範囲から選定する。この間隔であればほとんどの大人が把持面１４７、１４８を把持し、表示ユニット１２０を容易に支え持つことが可能だからである。
【００４０】
また、把持面１４７、１４８の側面壁１５１、１５１間の長さ（幅）は人間の小指から人差し指までの距離より若干長めが好ましい。４本の手指全てを把持面１４７、１４８に接触させることができるからである。しかし、少なくとも親指を挿入しうる幅があればよい。人差し指や中指は親指より幅が狭いため、親指と、人差し指または中指の２本で把持面１４７、１４８を把持し、表示ユニット１２０を支持することができるからである。具体的には２０ｍｍ以上、好ましくは２５ｍｍ以上であり、上限は１００ｍｍ以下、好ましくは７０ｍｍ以下である。
【００４１】
また、把持面１４７、１４８の奥行きは、人差し指の先端から第１間接までの長さがあれば好ましい。十分な力で把持できるからである。具体的には１０ｍｍ以上、好ましくは２５ｍｍ以上である。
【００４２】
図５は、把持面１４７、１４８のみを実線で示した表示ユニットの斜視図である。
同図中に黒い丸で示される部分は、表示ユニット１２０の重心１２９である。また、同図中に示される一点鎖線は、表示パネル１２１の表示面１５０（表示パネルに画像が表示される面）に垂直で、かつ、重心１２９を通過する仮想的な重心線１２８である。
【００４３】
同図に示すように、把持面１４７、１４８で挟まれる領域に、重心線１２８が通過している。本実施形態の場合、重心線１２８は、把持面１４７、１４８で挟まれる領域の中心を通過している。このように把持面１４７、１４８が配置されることにより、無駄な力を加えることなく安定した状態で表示ユニット１２０を、把持面１４７、１４８を片手で挟むように把持した状態で保持することが可能となる。
【００４４】
次に、表示ユニット１２０を遊技盤１１４に取り付ける際の取り付け態様を説明する。
表示ユニット１２０の前面には、表示ユニット１２０を運搬等する際の損傷から表示面を保護するためのフィルムが貼着されており、このフィルムは遊技盤１１４に取り付ける直前に剥離される。
【００４５】
前記フィルムを剥離する際、作業者は、把持面１４７、１４８を片手で挟むようにして把持して表示ユニット１２０を支持し、他の片手で表示ユニット１２０の表示面１５０対応面に貼着されるフィルムを剥離する。通常この作業はフィルムが貼着されている面を上にし、表示ユニット１２０を下から片手で支え持つような状態で行われる。
【００４６】
次に、当該状態のまま、静電気除去及び埃除去のためのエアーを表示ユニット１２０に吹きつける。そしてすぐに、図６に示すように、片手で表示ユニット１２０を把持したまま遊技盤１１４に表示ユニット１２０のフロントケース１２３部分を挿入する。最後に、最後に表示ユニット１２０を片手で把持したまま位置合わせを行い、その状態で表示ユニット１２０を遊技盤１１４に固定する固定作業を行う。
【００４７】
以上のように、大判の表示パネル１２１を備えた表示ユニット１２０であっても、遊技盤１１４への一連の取り付け作業を、片手で表示ユニット１２０を把持した状態のまま取り付けることができる。しかも、把持面１４７、１４８の間隔は、表示パネル１２１の大きさに依存することなく任意に設定されるため、例えば手の小さな作業者であっても大判の表示パネル１２１を備えた表示ユニット１２０を容易に扱うことが可能となる。
【００４８】
しかも、把持面１４７、１４８が作る領域の中心に重心線１２８が通過するため、表示ユニット１２０の姿勢を変化させる場合でも、不要な力を必要とすることなく容易に表示ユニット１２０を扱うことが可能となる。
【００４９】
なお、把持面１４７、１４８の表面は、滑り止めを目的として、シボ加工を施してもよく、ゴムシートなど別部材を貼着などしてもかまわない。
【００５０】
また、図７(ａ)に示すように、把持面１４７、１４８に幅方向に延びる放熱孔１２６を設け、放熱孔１２６自体の放熱効果と、放熱孔１２６のエッジによる滑り止め効果を併有してもかまわない。
【００５１】
また、凹陥部１４５、１４６は二つある必要はなく、表示ユニット１２０の重量バランスに従い、図７(ｂ)に示すように、凹陥部１４５が一つ設けられる場合もある。
【００５２】
さらに、図８（ａ）に示すように、把持面１４７、１４８は平面である必要はなく、把持面１４７、１４８の手前側に手指を引っ掛けるための立ち上がり部１５２を設けてもかまわない。
【００５３】
また、図８（ｃ）に示すように、把持面１４７、１４８が湾曲するものでもかまわない。
【００５４】
このように、把持面１４７、１４８に立ち上がり部１５２を設けたり、把持面１４７、１４８を湾曲させると、手指が引っ掛かった状態で把持面１４７、１４８を把持し、表示ユニット１２０を支持することができるため、把持面１４７、１４８を挟持するための力を軽減することができ、より少ない力で表示ユニット１２０を支持し、取り付け作業などを行うことが可能となる。
【００５５】
また、本実施形態では、表示ケース１２５は、フロントケース１２３とリアケース１２４の２室構造であるとして説明したが、本発明はこれに限定されるわけではなく、フロントケース１２３とリアケース１２４との間に壁がないものでもかまわない。
【産業上の利用可能性】
【００５６】
本発明は、パチンコ機やスロットなどの遊技機に利用でき、特に、大きな表示パネルを備える遊技機に利用できる。
【図面の簡単な説明】
【００５７】
【図１】本実施形態に係るパチンコ機を正面方向から示す斜視図。
【図２】パチンコ機の背面を示す斜視図。
【図３】表示ユニットの取り付け状態を模式的に示す断面図。
【図４】表示ユニットを背部から示す斜視図。
【図５】把持面のみを実線で示した表示ユニットの斜視図。
【図６】表示ユニットの取付態様を示す斜視図。
【図７】把持面、及び、凹陥部のバリエーションを示す図。
【図８】把持面の形状のバリエーションを示す図。
【符号の説明】
【００５８】
１２０…表示ユニット、１２１…表示パネル、１２２…表示制御基盤、１２３…フロントケース、１２４…リアケース、１４５、１４６…凹陥部、１４７、１４８…把持面
【図１】
0004839957.tif 000002
【図２】
0004839957.tif 000003
【図３】
0004839957.tif 000004
【図４】
0004839957.tif 000005
【図５】
0004839957.tif 000006
【図６】
0004839957.tif 000007
【図７】
0004839957.tif 000008
【図８】
0004839957.tif 000009